(57)【要約】【課題】機器本体の所定領域に配置された意匠板に表示品質の高い発光を行わせることができると共に、導光板やＬＥＤ等を含む装置全体の設置スペースを小型化できる遊技機を提供する。【解決手段】遊技者によって目視可能な発光表示装置２９は、前面側の意匠板３１と、意匠板３１の後方に配置された導光板３２と、導光板３２の後方に配置された回路基板３４と、回路基板３４に実装された側面発光型のＬＥＤ３３とを備えており、導光板３２に穿設された貫通孔３２ａの内部に側面発光型のＬＥＤ３３が収納されている。ＬＥＤ３３の側面から発せられた光は、導光板３２に対して貫通孔３２ａの内壁面から入射した後、導光板３２の背面に形成された反射部３２ｂで反射して意匠板３１の前方に出射される。【選択図】図５
2018102407.tif 000002
【特許請求の範囲】
【請求項１】
機器本体の所定領域に配置された意匠板と、前記意匠板の後方に配置された導光板と、前記導光板の後方に配置された回路基板と、前記回路基板に実装された側面発光型のＬＥＤとを備え、
前記導光板に前記ＬＥＤを収納可能な貫通孔が穿設されていると共に、前記導光板の所定箇所に反射部が形成されており、前記貫通孔の内壁面から入射した前記ＬＥＤの光が前記反射部で反射して前記意匠板の前方に出射されることを特徴とする遊技機。
【請求項２】
請求項１の記載において、前記意匠板が、光透過性材料からなるベース板と、このベース板の一部に設けられた遮光性材料からなる非発光領域とを有しており、前記非発光領域の後方に前記ＬＥＤと前記貫通孔が配置されていることを特徴とする遊技機。
【発明の詳細な説明】
【技術分野】
【０００１】
本発明は、パチンコ機やスロットマシン等の遊技機に係り、より詳しくは、機器本体の所定位置に発光表示装置が配設されている遊技機に関するものである。
【背景技術】
【０００２】
パチンコ機に代表される遊技機の中には、遊技盤の遊技領域に可変表示装置や始動入賞口やアタッカー装置等を設け、遊技領域に向けて発射された遊技球が始動入賞口に入賞したことを契機に電子抽選を行い、その抽選結果に基づいて可変表示装置が図柄の変動表示および変動停止を行うようにした機種が数多く存在する。電子抽選の抽選結果には当たりとハズレがあり、抽選結果が当たりの場合には、可変表示装置の表示画面に特定の図柄が表示され、通常モードから特別遊技モードへと移行する。この特別遊技モードでは、アタッカー装置の開閉扉が開放動作して大入賞口を露呈させるので、露呈した大入賞口に遊技球が入りやすくなって遊技者は多くの賞球を獲得できるようになる。
【０００３】
この種のパチンコ機において、遊技領域の所定部位にＬＥＤの光によって任意の文字や図形等を発光させるようにした発光表示装置を配設し、この発光表示装置の発光形態と可変表示装置の表示画面上での図柄変動表示とを併用したり、発光表示装置の発光形態を単独で利用することによって、意匠効果や演出効果を高めるようにした機種が知られている（例えば、特許文献１参照）。
【０００４】
特許文献１に開示された発光表示装置は、矩形状に形成された表示用の導光板と、導光板の端面に沿って配置されたＬＥＤ基板と、ＬＥＤ基板上に実装された複数のＬＥＤと、各ＬＥＤと導光板の端面との間に介設されたレンズ部材とを備えており、レンズ部材には各ＬＥＤから発せられた光を集光する凸状の集光レンズが形成されている。導光板はアクリルやポリカーボネート等の光透過性を有する合成樹脂からなり、その背面側には、任意の文字、図形、図柄等を形成する領域内に微小凹部からなる反射部が多数形成されている。
【０００５】
このような発光表示装置を備えたパチンコ機において、各ＬＥＤを点灯させると、それらの天面から発せられた光は、レンズ部材に対して入射した後に凸状の集光レンズから略平行光となって出射する。そして、集光レンズから出射した光は、導光板の端面に入射した後に反射部によって前面側に反射されるため、発光表示装置の前方に対峙する遊技者からは、導光板の前面に任意の文字等が浮かび上がったように見える。
【先行技術文献】
【特許文献】
【０００６】
【特許文献１】特開２０１５−１９２９１２号公報
【発明の概要】
【発明が解決しようとする課題】
【０００７】
しかし、特許文献１に開示された従来技術は、導光板の端面に配置したＬＥＤの光によって反射部を発光させる構成であるため、導光板の周囲にＬＥＤ基板やＬＥＤを配置する領域が必要となり、この領域によって発光表示装置の設置スペースが大型化してしまうという問題があった。また、ＬＥＤから反射部までの距離が遠い場合や複数の反射部を発光させる場合に、反射部を十分な明るさで発光させることができなくなったり、意図しない部分が発光してしまうなど、表示品質が低下してしまうという問題もあった。
【０００８】
本発明は、このような従来技術の実情に鑑みてなされたもので、その目的は、機器本体の所定領域に配置された意匠板に表示品質の高い発光を行わせることができると共に、導光板やＬＥＤ等を含む装置全体の設置スペースを小型化できる遊技機を提供することにある。
【課題を解決するための手段】
【０００９】
上記の目的を達成するために、本発明の遊技機は、機器本体の所定領域に配置された意匠板と、前記意匠板の後方に配置された導光板と、前記導光板の後方に配置された回路基板と、前記回路基板に実装された側面発光型のＬＥＤとを備え、前記導光板に前記ＬＥＤを収納可能な貫通孔が穿設されていると共に、前記導光板の所定箇所に反射部が形成されており、前記貫通孔の内壁面から入射した前記ＬＥＤの光が前記反射部で反射して前記意匠板の前方に出射されることを特徴としている。
【００１０】
このように構成された遊技機では、導光板に穿設された貫通孔の内部に側面発光型のＬＥＤが収納されており、このＬＥＤの側面から発せられた光が貫通孔の内壁面から導光板に入射した後、導光板に形成された反射部で反射して意匠板の前方に出射するため、意匠板の意図した箇所を明るく発光させることができると共に、導光板の外周にＬＥＤを配置する必要がないため、導光板やＬＥＤ等を含む装置全体の設置スペースを小型化することができる。
【００１１】
上記の構成において、意匠板が、光透過性材料からなるベース板と、ベース板の一部に設けられた遮光性材料からなる非発光領域とを有しており、この非発光領域の後方にＬＥＤと貫通孔が配置されていると、発光源であるＬＥＤの存在が非発光領域によって覆い隠されるため、意匠板に形成された発光領域と非発光領域にコントラストを付けることができて好ましい。
【発明の効果】
【００１２】
本発明の遊技機によれば、機器本体の所定領域に配置された意匠板に表示品質の高い発光を行わせることができると共に、導光板やＬＥＤ等を含む装置全体の設置スペースを小型化することができる。
【図面の簡単な説明】
【００１３】
【図１】実施形態例に係るパチンコ機の外観を示す斜視図である。
【図２】図１に示すパチンコ機の前面扉を開放した状態の斜視図である。
【図３】図１に示すパチンコ機の背面図である。
【図４】図１に示すパチンコ機に備えられる遊技盤の正面図である。
【図５】図４の遊技盤に設けられる発光表示装置の正面図である。
【図６】該発光表示装置の分解斜視図である。
【図７】該発光表示装置の要部断面図である。
【発明を実施するための形態】
【００１４】
発明の実施の形態について図面を参照して説明すると、図１と図２に示すように、本発明の実施形態例に係る遊技機（パチンコ機）は、遊技場の島設備に設置される縦長方形状の機枠１と、機枠１に扉状に開閉自在に取り付けられた本体枠２と、本体枠２の前面に扉状に開閉自在に取り付けられた前面扉３等を備えており、前面扉３にはガラスやプラスチック等からなる透明板４が取り付けられている。
【００１５】
機枠１の左下隅部には大型のスピーカ５が配設されており、このスピーカ５は前面扉３の切り欠き内に位置して前方に露出している。本体枠２の上部内側には後述する遊技盤６が収納されており、この遊技盤６の盤面（前面）は透明板４を透して外部から目視可能となっている。また、本体枠２の右側枠部にはシリンダ錠７ａを有する施錠装置７が設置されており、図示省略されているが、この施錠装置７は本体枠２の裏面に配置された後部施錠杆と本体枠２の前面に配置された前部施錠杆とを備えている。常態では、施錠装置７の後部施錠杆によって機枠１に対して本体枠２が施錠されると共に、前部施錠杆によって本体枠２に対して前面扉３が施錠されている。そして、シリンダ錠７ａの鍵穴に図示せぬ鍵を差し込み、この鍵を一方向（例えば時計回り）へ回動すると、後部施錠杆が下動して本体枠２が開錠されるようになっている。また、シリンダ錠７ａの鍵穴に差し込んだ鍵を他方向（反時計回り）へ回動すると、前部施錠杆が上動して前面扉３が開錠されるようになっている。
【００１６】
前面扉３には遊技盤６の盤面に対向する大きな開口３ａが開設されており、この開口３ａは透明板４によって塞がれている。前面扉３の前面上部には比較的小型のスピーカ８が左右に１個ずつ配設されており、これらスピーカ８と前述した大型のスピーカ５とによって遊技に関する様々な効果音を発するようになっている。さらに、前面扉３の前面下部には、遊技盤６の裏面に配設された賞球払出装置（後述する）から払い出された遊技球を収容する上段受皿９と、上段受皿９から排出された遊技球を収容する下段受皿１０と、遊技者による押下操作が可能なプッシュ釦１１等が設けられており、上段受皿９の右側方には操作ハンドル１２が配設されている。
【００１７】
機枠１の左側枠部には上側軸受け体１３と下側軸受け体１４が固着されており、これら両軸受け体１３，１４に本体枠２の左側枠部の上下両端に設けた第１ピン（図示省略）を軸支することによって、本体枠２を機枠１に対して開閉自在に支持する第１ヒンジ機構が構成されている。一方、前面扉３の左側枠部の上下両端には第２ピン（図示省略）が設けられており、これら両第２ピンを本体枠２の左側枠部に突設した上下の支持板２ａに軸支することによって、前面扉３を本体枠２に対して開閉自在に支持する第２ヒンジ機構が構成されている。また、本体枠２の上部内側は遊技盤６の収納スペースとなっており、この収納スペースの下方は前面扉３によって覆い隠される設置部２ｂとなっている。設置部２ｂ内の下部中央には遊技球を遊技盤６の遊技領域に向けて発射する発射装置１５が配設されており、前述した操作ハンドル１２の回動操作量に応じて発射装置１５の発射強度が調整されるようになっている。
【００１８】
図３に示すように、遊技盤６の裏面側には、遊技に関する主要な処理を行う主制御処理部１６と、主制御処理部１６からの指令を受けて前述したスピーカ５，８や後述する可変表示装置や可動役物装置等の各種装置を制御する副制御処理部１７と、前述した賞球払出装置１８と、主制御処理部１６からの指令を受けて賞球払出装置１８を制御する払出制御処理部１９と、操作ハンドル１２の回動操作量に応じて前記発射装置１５の作動を制御する発射制御処理部２０と、賞球数や大当たり回数等の各種情報を遊技場のホールコンピュータに出力する外部端子基板２１等が設けられている。主制御処理部１６は、ＣＰＵ（Central Processing Unit）と、予め定められた制御プログラムを格納するＲＯＭ（Read Only Memory）と、生成された処理情報の一時記憶および記憶した情報の削除を行うＲＡＭ（Random Access Memory）等が実装された制御基板（メイン基板）とを備えており、このＣＰＵがＲＯＭに格納された各種プログラムやデータを読み込んで実行することにより、遊技に関する主要な処理が行われる。
【００１９】
遊技盤６は光透過性の合成樹脂で成形された板状部材であり、図４に示すように、この遊技盤６の前面（盤面）は遊技領域２２となっている。遊技領域２２はガイドレール２３等によって略円形状に区画されており、遊技者が操作ハンドル１２を任意角度まで回動操作すると、前記発射装置１５が上段受皿９に保留された遊技球を遊技領域２２に向けて連続的に打ち出すようになっている。遊技領域２２には、大当たりの電子抽選を行う始動入賞口２４や、遊技球の払い出しのみを行う一般入賞口２５や、遊技球の流下経路を担う風車と遊技釘（図示せず）等が配設されており、いずれの始動入賞口２４や一般入賞口２５にも入賞しなかった遊技球は、遊技領域２２の最下端部に設けられたアウト口２６から遊技盤６の裏面側に排出されるようになっている。
【００２０】
遊技盤６の裏面側には、第１可動役物装置２７と第２可動役物装置２８および発光表示装置２９を備えたセンター役物が配置されており、このセンター役物の後方に可変表示装置３０が配置されている。可変表示装置３０は液晶パネル（ＬＣＤ）からなり、その表示画面３０ａは遊技領域２２の中央部の開口内に露出している。第１可動役物装置２７と第２可動役物装置２８は図示せぬ駆動機構によって個別に昇降動作されるようになっており、第１可動役物装置２７は可変表示装置３０の上方位置を原点として表示画面３０ａの前方を上下動し、第２可動役物装置２８は可変表示装置３０の下方位置を原点として表示画面３０ａの前方を上下動する。発光表示装置２９は表示画面３０ａの左側方に配置されており、この発光表示装置２９は透明な遊技盤６を透して前方から目視されるようになっている。以下、図５〜図７を参照して発光表示装置２９の構成を詳細に説明する。
【００２１】
図５〜図７に示すように、発光表示装置２９は、キャラクタ図柄等が形成された縦長矩形状の意匠板３１と、複数の貫通孔３２ａが穿設された導光板３２と、複数のＬＥＤ３３が実装された回路基板３４とを備えており、これらは導光板３２を意匠板３１と回路基板３４間に挟んだ積層状態でネジ止めにより一体化されている。
【００２２】
意匠板３１は光透過性の合成樹脂フィルムをベース板とし、このベース板の一面に光透過性の有色塗料と遮光性塗料を塗布してキャラクタ図柄等を描くことにより、意匠板３１には光を透過する発光領域Ｓ１（図５中の白抜き部分）と光を遮断する非発光領域Ｓ２（図５中のハッチング部分）が形成されている。
【００２３】
導光板３２はアクリルやポリカーボネート等の光透過性を有する合成樹脂からなり、この導光板３２は意匠板３１の後方に配置されている。導光板３２には複数の貫通孔３２ａが穿設されおり、これら貫通孔３２ａは非発光領域Ｓ２の後方に位置している。また、導光板３２の背面には傾斜状の微小凹部等からなる複数の反射部３２ｂが形成されており（図７参照）、これら反射部３２ｂは発光領域Ｓ１の後方に位置している。
【００２４】
回路基板３４は導光板３２の後方に配置されており、この回路基板３４上には複数のＬＥＤ３３とコネクタ３５が実装されている。ＬＥＤ３３は側面から光を出射する側面発光型のチップＬＥＤであり、各ＬＥＤ３３は導光板３２の対応する貫通孔３２ａ内に収納されている。
【００２５】
このように構成された発光表示装置２９において、各ＬＥＤ３３を点灯させると、図７に示すように、ＬＥＤ３３の側面から発せられた光が、導光板３２に対して貫通孔３２ａの内壁面から入射した後、導光板３２の背面に形成された反射部３２ｂによって前側に反射される。ここで、反射部３２ｂは意匠板３１の発光領域Ｓ１の後方に形成されているため、意匠板３１に形成された発光領域Ｓ１と非発光領域Ｓ２のうち、ＬＥＤ３３の反射光によって発光領域Ｓ１だけが明るく発光し、発光領域Ｓ１と非発光領域Ｓ２のコントラストが明確になる。また、貫通孔３２ａとＬＥＤ３３は非発光領域Ｓ２の後方に位置しているため、ＬＥＤ３３の存在が非発光領域Ｓ２によって覆い隠され、パチンコ機の前側に位置する遊技者からは、意匠板３１に描かれたキャラクタ図柄等の意図する部分だけが明るく発光するように見える。
【００２６】
なお、ＬＥＤ３３は全てを常時点灯させるようにしているが、いくつかのＬＥＤ３３を部分的に点灯させたり、ＬＥＤ３３を一時的に消灯させるようにしても良い。例えば、電子抽選の抽選結果に基づいて可変表示装置３０で特定の表示演出を行う際に、それまで点灯していたＬＥＤ３３を突然消灯させてから再度点灯すれば、大当たりの可能性が高いことを発光表示装置２９の発光態様によって遊技者に示唆することができる。
【００２７】
以上説明したように、本実施形態例に係る遊技機（パチンコ機）では、機器本体の所定領域に配置された発光表示装置２９が、遊技者によって目視される意匠板３１と、意匠板３１の後方に配置された導光板３２と、導光板３２の後方に配置された回路基板３４と、回路基板３４に実装された側面発光型のＬＥＤ３３とを備えており、導光板３２に穿設された貫通孔３２ａの内部に側面発光型のＬＥＤ３３が収納されるという構成になっている。そして、ＬＥＤ３３の側面から発せられた光が、導光板３２に対して貫通孔３２ａの内壁面から入射した後、導光板３２の背面に形成された反射部３２ｂで反射して意匠板３１の前方に出射するため、意匠板３１の意図した箇所を明るく発光させることができる。また、導光板３２の外周にＬＥＤ３３を配置する必要がなく、ＬＥＤ３３が実装された回路基板３４を導光板３２の大きさの範囲内に重ねることができるため、発光表示装置２９の設置スペースを小型化することができる。
【００２８】
また、本実施形態例では、光透過性材料をベース板とする意匠板３１に光を透過する発光領域Ｓ１と光を遮断する非発光領域Ｓ２が形成されており、この発光領域Ｓ１の後方に導光板３２の反射部３２ｂが形成されていると共に、非発光領域Ｓ２の後方に貫通孔３２ａとＬＥＤ３３が配置されているため、発光源であるＬＥＤ３３の存在が非発光領域Ｓ２によって覆い隠され、キャラクタ図柄等を形成する発光領域Ｓ１と非発光領域Ｓ２にコントラストを付けることができる。
【００２９】
なお、上記実施形態例では、発光表示装置２９を透明な遊技盤６の裏面側に配置した場合について説明したが、発光表示装置２９の配置位置は当該部位に限定されず、遊技者が目視可能であれば他の部位であっても良い。
【００３０】
また、上記実施形態例では、本発明による発光表示装置２９をパチンコ機に適用した場合について説明したが、スロットマシン等の他の遊技機に適用することも可能である。
【符号の説明】
【００３１】
１  機枠
２  本体枠
３  前面扉
４  透明板
６  遊技盤
２２  遊技領域
２７  第１可動役物装置
２８  第２可動役物装置
２９  発光表示装置
３０  可変表示装置
３０ａ  表示画面
３１  意匠板
３２  導光板
３２ａ  貫通孔
３２ｂ  反射部
３３  ＬＥＤ
３４  回路基板
Ｓ１  発光領域
Ｓ２  非発光領域
【図１】
2018102407.tif 000003
【図２】
2018102407.tif 000004
【図３】
2018102407.tif 000005
【図４】
2018102407.tif 000006
【図５】
2018102407.tif 000007
【図６】
2018102407.tif 000008
【図７】
2018102407.tif 000009